(57)【特許請求の範囲】
【請求項１】
熱硬化性の接着剤層を介して実装部品を熱加圧することにより実装部に上記実装部品を接続する熱圧着ヘッドにおいて、
上記熱圧着ヘッドは、ペルチェ素子を有し、
上記ペルチェ素子は、上記実装部品を熱加圧する際に、上記実装部近傍に設けられた他の構成部品と対峙する面側を冷却部とする熱圧着ヘッド。
【請求項２】
上記ペルチェ素子は、少なくともヘッド本体の上記実装部近傍に設けられた他の構成部品に面する側に設けられ、
上記実装部品を熱加圧する際に、上記ペルチェ素子は上記ヘッド本体と対峙する面側を加熱部とする請求項１記載の熱圧着ヘッド。
【請求項３】
複数の上記ペルチェ素子が重畳され、上記ヘッド本体と接触する上記ペルチェ素子の加熱部は上記実装部品の熱加圧温度とされ、上記他の構成部品に面する上記ペルチェ素子の冷却部は上記他の構成部品に影響を与えない温度とされている請求項２に記載の熱圧着ヘッド。
【請求項４】
上記ペルチェ素子で上記実装部品を熱加圧する請求項１〜請求項３のいずれか１項に記載の熱圧着ヘッド。
【請求項５】
上記ペルチェ素子が上記ヘッド本体の全周囲に設けられている請求項２〜請求項４のいずれか１項に記載の熱圧着ヘッド。
【請求項６】
上記実装部品を熱加圧する際に、上記ヘッド本体が上記ペルチェ素子によって加熱される請求項２〜請求項５のいずれか１項に記載の熱圧着ヘッド。
【請求項７】
上記実装部品を熱加圧した後、上記ヘッド本体が上記ペルチェ素子によって冷却される請求項６記載の熱圧着ヘッド。
【請求項８】
上記ペルチェ素子のみからなる請求項１に記載の熱圧着ヘッド。
【請求項９】
複数の上記ペルチェ素子が重畳され、上記実装部品を熱加圧する上記ペルチェ素子の加熱部は上記実装部品の熱加圧温度とされ、上記他の構成部品に面する上記ペルチェ素子の冷却部は上記他の構成部品に影響を与えない温度とされている請求項８に記載の熱圧着ヘッド。
【請求項１０】
熱硬化性の接着剤層を介して実装部品を熱加圧することにより実装部に上記実装部品を接続する熱圧着ヘッドと、
上記熱圧着ヘッドを実装部品が接続される上記実装部に対峙させ、該実装部と近接離間させるヘッド駆動機構とを備え、
上記熱圧着ヘッドは、ペルチェ素子を有し、
上記ペルチェ素子は、上記実装部品を熱加圧する際に、上記実装部近傍に設けられた他の構成部品と対峙する面側を冷却部とする実装装置。
【請求項１１】
実装部上に熱硬化性の接着剤層を介して実装部品を載置する工程と、
ペルチェ素子を有する熱圧着ヘッドによって上記実装部品を上記実装部上に熱加圧する熱加圧工程とを有し、
上記熱加圧工程において、上記ペルチェ素子は、上記実装部近傍に設けられた他の構成部品と対峙する面側を冷却部とする実装方法。
【請求項１２】
上記ペルチェ素子は、少なくともヘッド本体の上記実装部近傍に設けられた他の構成部品に面する側に設けられ、
上記実装部品を熱加圧する際に、上記ペルチェ素子は上記ヘッド本体と対峙する面側を加熱部とする請求項１１に記載の実装方法。
【請求項１３】
複数の上記ペルチェ素子が重畳され、上記熱圧着ヘッドと接触する上記ペルチェ素子の加熱部は上記実装部品の熱加圧温度とされ、上記他の構成部品に面する上記ペルチェ素子の冷却部は上記他の構成部品に影響を与えない温度とされている請求項１２に記載の実装方法。
【請求項１４】
上記ペルチェ素子が上記ヘッド本体の全周囲に設けられている請求項１２又は請求項１３に記載の実装方法。
【請求項１５】
上記熱圧着ヘッドは、上記実装部品を熱加圧する際に、上記ヘッド本体が上記ペルチェ素子によって加熱される請求項１２〜請求項１４のいずれか１項に記載の実装方法。
【請求項１６】
上記熱圧着ヘッドは、上記実装部品を熱加圧した後、上記ヘッド本体が上記ペルチェ素子によって冷却される請求項１５に記載の実装方法。
【請求項１７】
上記熱圧着ヘッドは、上記ペルチェ素子のみからなる請求項１１に記載の実装方法。
【請求項１８】
複数の上記ペルチェ素子が重畳され、上記実装部品を熱加圧する上記ペルチェ素子の加熱部は上記実装部品の熱加圧温度とされ、上記他の構成部品に面する上記ペルチェ素子の冷却部は上記他の構成部品に影響を与えない温度とされている請求項１７に記載の実装方法。
【請求項１９】
上記熱硬化性の接着剤層は、異方導電性接着フィルムまたは絶縁性接着フィルムである請求項１１〜請求項１８のいずれか１項に記載の実装方法。
【発明の詳細な説明】
【技術分野】
【０００１】
本発明は、基板やパネルの実装部に熱硬化性の接着剤を介して実装部品を加熱圧着することにより接合させる熱圧着ヘッド、実装装置及び実装方法に関する。
【背景技術】
【０００２】
従来から、テレビやＰＣモニタ、携帯電話、タブレットパソコン、携帯型ゲーム機あるいは車載用モニタ等の各種表示手段として、液晶表示装置が多く用いられている。近年、このような液晶表示装置においては、ファインピッチ化、軽量薄型化等の観点から、液晶駆動用ＩＣを直接液晶表示パネルの基板上に実装するいわゆるＣＯＧ（chip on glass）や、液晶駆動回路が形成されたフレキシブル基板を直接液晶表示パネルの基板上に実装するいわゆるＦＯＧ（film on glass）が採用されている。
【０００３】
例えばＣＯＧ実装方式が採用された液晶表示装置１００は、図９に示すように、液晶表示のための主機能を果たす液晶表示パネル１０４を有しており、この液晶表示パネル１０４は、ガラス基板等からなる互いに対向する二枚の透明基板１０２，１０３を有している。そして、液晶表示パネル１０４は、これら両透明基板１０２，１０３が枠状のシール１０５によって互いに貼り合わされるとともに、両透明基板１０２，１０３およびシール１０５によって囲繞された空間内に液晶１０６が封入されたパネル表示部１０７が設けられている。
【０００４】
透明基板１０２，１０３は、互いに対向する両内側表面に、ＩＴＯ（酸化インジウムスズ）等からなる縞状の一対の透明電極１０８，１０９が、互いに交差するように形成されている。そして、両透明基板１０２，１０３は、これら両透明電極１０８，１０９の当該交差部位によって液晶表示の最小単位としての画素が構成されるようになっている。
【０００５】
両透明基板１０２，１０３のうち、一方の透明基板１０３は、他方の透明基板１０２よりも平面寸法が大きく形成されており、この大きく形成された透明基板１０３の縁部１０３ａには、透明電極１０９の端子部１０９ａが形成されている。また、両透明電極１０８，１０９上には、所定のラビング処理が施された配向膜１１１，１１２が形成されており、この配向膜１１１，１１２によって液晶分子の初期配向が規制されるようになっている。さらに、両透明基板１０８，１０９の外側には、一対の偏光板１１８，１１９が配設されており、これら両偏光板１１８，１１９によってバックライト等の光源１２０からの透過光の振動方向が規制されるようになっている。
【０００６】
端子部１０９ａ上には、異方性導電フィルム１１４を介して液晶駆動用ＩＣ１１５が熱圧着されている。異方性導電フィルム１１４は、熱硬化型のバインダー樹脂に導電性粒子を混ぜ込んでフィルム状としたもので、２つの導体間で加熱圧着されることにより導電粒子で導体間の電気的導通がとられ、バインダー樹脂にて導体間の機械的接続が保持される。液晶駆動用ＩＣ１１５は、画素に対して液晶駆動電圧を選択的に印加することにより、液晶の配向を部分的に変化させて所定の液晶表示を行うことができるようになっている。なお、異方性導電フィルム１１４を構成する接着剤としては、通常、最も信頼性の高い熱硬化性の接着剤を用いるようになっている。
【０００７】
このような異方性導電フィルム１１４を介して液晶駆動用ＩＣ１１５を端子部１０９ａへ接続する場合は、先ず、透明電極１０９の端子部１０９ａ上に異方性導電フィルム１１４を図示しない仮圧着手段によって仮圧着する。続いて、異方性導電フィルム１１４上に液晶駆動用ＩＣ１１５を載置した後、図１０に示すように熱圧着ヘッド等の熱圧着手段１２１によって液晶駆動用ＩＣ１１５を異方性導電フィルム１１４とともに端子部１０９ａ側へ押圧しつつ熱圧着手段１２１を発熱させる。この熱圧着手段１２１による発熱によって、異方性導電フィルム１１４は熱硬化反応を起こし、これにより、異方性導電フィルム１１４を介して液晶駆動用ＩＣ１１５が端子部１０９ａ上に接着される。
【０００８】
ところで、最近では表示装置の薄型・軽量化の傾向に伴って、液晶表示装置１００自体も小型・軽量化が図られる一方で、液晶表示装置１００の表示領域をできるだけ確保することが要請され、端子部１０９ａが設けられる縁部１０３ａをできるだけ小さくすることが要求されている。
【０００９】
これに伴って、熱圧着手段１２１によって熱加圧される端子部１０９ａとパネル表示部１０７との距離がますます短くなり、しかも熱圧着手段１２１の小型化に伴って加熱温度も高くなる傾向にあるため、その熱によって液晶表示パネル１０４に貼着されている偏光板１１８，１１９や、透明基板１０２，１０３相互を封止しているシール１０５が変質を来してしまうという問題があった。
【００１０】
また、図１１に示すように、液晶パネルの端子部１０９ａにベアチップ実装された液晶駆動用ＩＣ１１５の近傍に、液晶駆動回路が形成されたフレキシブル基板１２２がＦＯＧ実装される場合には、熱圧着手段１２１からの熱により液晶駆動用ＩＣ１１５に熱衝撃が加わり、また、端子部１０９ａへの搭載状態が不安定になるという問題もある。
【先行技術文献】
【特許文献】
【００１１】
【特許文献１】特開２００３−１９５３３５号公報
【発明の概要】
【発明が解決しようとする課題】
【００１２】
そこで、本発明は、狭小化された端子部へ実装部品を異方性導電フィルムを介して熱加圧することにより実装する実装装置及び実装方法において、パネル表示部や他の電子部品といった他の構成部品に対する熱衝撃を緩和させることができる熱圧着ヘッド、実装装置及び実装方法を提供することを目的とする。
【課題を解決するための手段】
【００１３】
上述した課題を解決するために、本発明に係る熱圧着ヘッドは、熱硬化性の接着剤層を介して実装部品を熱加圧することにより実装部に上記実装部品を接続する熱圧着ヘッドにおいて、上記熱圧着ヘッドは、ペルチェ素子を有し、上記ペルチェ素子は、上記実装部品を熱加圧する際に、上記実装部近傍に設けられた上記他の構成部品と対峙する面側を冷却部とするものである。
【００１４】
また、本発明に係る実装装置は、熱硬化性の接着剤層を介して実装部品を熱加圧することにより実装部に上記実装部品を接続する熱圧着ヘッドと、上記熱圧着ヘッドを実装部品が接続される上記実装部に対峙させ、該実装部と近接離間させるヘッド駆動機構とを備え、上記熱圧着ヘッドは、ペルチェ素子を有し、上記ペルチェ素子は、上記実装部品を熱加圧する際に、上記実装部近傍に設けられた他の構成部品と対峙する面側を冷却部とするものである。
【００１５】
また、本発明に係る実装方法は、実装部上に熱硬化性の接着剤層を介して実装部品を載置する工程と、ペルチェ素子を有する熱圧着ヘッドによって上記実装部品を上記実装部上に熱加圧する工程とを有し、上記熱加圧工程において、上記ペルチェ素子は、上記実装部近傍に設けられた他の構成部品と対峙する面側を冷却部とするものである。
【発明の効果】
【００１７】
本発明によれば、熱圧着ヘッドは、ペルチェ素子を有し、このペルチェ素子に所定方向の電流を流すことにより他の構成部品に面する側を冷却部としているため、熱が他の構成部品に伝達することを防止できる。
【図面の簡単な説明】
【００１８】
【図１】本発明が適用された実装装置を示す側面図である。
【図２】他の液晶表示パネルに本発明が適用された実装装置を用いる状態を示す断面図である。
【図３】複数のペルチェ素子が重畳して取り付けられている構成を示す側面図である。
【図４】ペルチェ素子によっても実装部品を熱加圧する構成を示す側面図である。
【図５】ペルチェ素子を介して複数の熱圧着ヘッドを備える構成を示す側面図である。
【図６】ヘッド本体の周囲にペルチェ素子を設けた構成を示す断面図である。
【図７】ヒーターを内蔵せず、ペルチェ素子によって加熱される熱圧着ヘッドを示す断面図である。
【図８】ペルチェ素子からなる熱圧着ヘッドを示す側面図である。
【図９】従来の液晶表示パネルを示す断面図である。
【図１０】従来の液晶表示パネルのＣＯＧ実装工程を示す断面図である。
【図１１】従来の液晶表示パネルのＦＯＧ実装工程を示す断面図である。
【発明を実施するための形態】
【００１９】
以下、本発明が適用された熱圧着ヘッド、実装装置、実装方法及び接合体について、図面を参照しながら詳細に説明する。本発明が適用された実装装置１は、熱圧着ヘッド３を備え、液晶駆動用ＩＣを直接液晶表示パネルの基板上に実装するいわゆるＣＯＧ（chip on glass）実装や、液晶駆動回路が形成されたフレキシブル基板を直接液晶表示パネルの基板上に実装するいわゆるＦＯＧ（film on glass）実装等に好適に用いることができる。
【００２０】
実装装置１の説明に先立って、実装装置１によって液晶駆動用ＩＣや液晶駆動回路が形成されたフレキシブル基板が実装される液晶表示パネル１０について、図１を参照しながら説明する。液晶表示パネル１０は、上記液晶表示パネル１０４と同様に、ガラス基板等からなる二枚の透明基板１１，１２が対向配置され、これら透明基板１１，１２が枠状のシール１３によって互いに貼り合わされている。そして、液晶表示パネル１０は、透明基板１１，１２によって囲繞された空間内に液晶１４が封入されることによりパネル表示部１５が形成されている。
【００２１】
透明基板１１，１２は、互いに対向する両内側表面に、ＩＴＯ（酸化インジウムスズ）等からなる縞状の一対の透明電極１６，１７が、互いに交差するように形成されている。そして、両透明基板１６，１７は、これら両透明電極１６，１７の当該交差部位によって液晶表示の最小単位としての画素が構成されるようになっている。
【００２２】
両透明基板１１，１２のうち、一方の透明基板１２は、他方の透明基板１１よりも平面寸法が大きく形成されており、この大きく形成された透明基板１２の縁部１２ａには、液晶駆動用ＩＣ等の電子部品１８が実装されるＣＯＧ実装部２０が設けられ、またＣＯＧ実装部２０の外側近傍には、液晶駆動回路が形成されたフレキシブル基板２１が実装されるＦＯＧ実装部２２が設けられている。
【００２３】
なお、液晶駆動用ＩＣや液晶駆動回路は、画素に対して液晶駆動電圧を選択的に印加することにより、液晶の配向を部分的に変化させて所定の液晶表示を行うことができるようになっている。
【００２４】
各実装部２０，２２には、透明電極１７の端子部１７ａが形成されている。端子部１７ａ上には、異方性導電フィルム２３を介して液晶駆動用ＩＣ等の電子部品１８やフレキシブル基板２１が熱圧着される。異方性導電フィルム２３は、導電性粒子を含有しており、電子部品１８やフレキシブル基板２１の電極と透明基板１２の縁部１２ａに形成された透明電極１７の端子部１７ａとを、導電性粒子を介して電気的に接続させるものである。この異方性導電フィルム２３は、熱硬化型接着剤であり、後述する熱圧着ヘッド３により熱圧着されることにより、導電性粒子が透明電極１７の端子部１７ａと電子部品１８やフレキシブル基板２１の各電極との間で押し潰された状態で硬化し、透明基板１２と電子部品１８やフレキシブル基板２１とを電気的、機械的に接続させる。
【００２５】
具体的に、異方性導電フィルム２３は、有機樹脂バインダーに導電性粒子が含有された組成であり、有機樹脂バインダーは膜形成材料、液状硬化成分、シランカップリング剤、硬化剤等から構成される。膜形成材料としては、フェノキシ樹脂、固形エポキシ樹脂等、膜形成能を有する有機樹脂であれば適宜使用することができる。液状硬化成分は、液状エポキシ樹脂、液状アクリレートなど熱硬化性を有する化合物を適宜使用することができる。液状エポキシ樹脂を使用した場合における硬化剤としては、アミン系硬化剤、イミダゾール類、スルホニウム塩、オニウム塩等を好ましく使用することができる。液状アクリレートを使用した場合における硬化剤としては、有機過酸化物などの熱ラジカル発生剤を好ましく使用することができる。更に無機フィラー、各種添加剤を用いてもよい。
【００２６】
導電性粒子としては、異方性導電フィルム２３において使用されている公知の何れの導電性粒子を挙げることができ、例えば、ニッケル、鉄、銅、アルミニウム、錫、鉛、クロム、コバルト、銀、金等の各種金属や金属合金の粒子、金属酸化物、カーボン、グラファイト、ガラス、セラミック、プラスチック等の粒子の表面に金属をコートしたもの、或いは、これらの粒子の表面に更に絶縁薄膜をコートしたもの等が挙げられる。樹脂粒子の表面に金属をコートしたものである場合、樹脂粒子としては、例えば、エポキシ樹脂、フェノール樹脂、アクリル樹脂、アクリロニトリル・スチレン（ＡＳ）樹脂、ベンゾグアナミン樹脂、ジビニルベンゼン系樹脂、スチレン系樹脂等の粒子を挙げることができる。
【００２７】
このような異方性導電フィルム２３を介して電子部品１８やフレキシブル基板２１を端子部１７ａへ接続する場合は、先ず、透明電極１７の端子部１７ａ上に異方性導電フィルム２３を図示しない仮圧着手段によって仮圧着する。続いて、異方性導電フィルム２３上に電子部品１８やフレキシブル基板２１を載置した後、熱圧着ヘッド３によって電子部品１８やフレキシブル基板２１を異方性導電フィルム２３とともに端子部１７ａ側へ押圧しつつ熱圧着ヘッド３を発熱させる。この熱圧着ヘッド３による発熱によって、異方性導電フィルム２３は熱硬化反応を起こし、これにより、異方性導電フィルム２３を介して電子部品１８やフレキシブル基板２１が端子部１７ａ上に接着される。
【００２８】
なお、本実施の形態では、異方性導電フィルム２３に変えて、バインダーのみからなる絶縁性接着フィルム（ＮＣＦ（Non Conductive Film））を用いてもよい。この場合、電子部品１８やフレキシブル基板２１と透明電極１７の端子部１７ａとは、直接接触することにより導通が図られる。この場合、電子部品１８のバンプとしてはスタッドバンプ等が好適に使用できる。
【００２９】
なお、異方性導電フィルム２３は、取り扱いの容易さ、保存安定性等の見地から、剥離処理が施されたＰＥＴ等の剥離フィルム上に塗布形成されている。また、異方性導電フィルム２３の形状は、特に限定されないが、例えば、プラスチック等からなる巻取リールに巻回可能な長尺テープ形状とし、実装に用いる際に、所定の長さだけカットして使用することができる。
【００３０】
両透明電極１６，１７上には、所定のラビング処理が施された配向膜２４が形成されており、この配向膜２４によって液晶分子の初期配向が規制されるようになっている。さらに、両透明基板１１，１２の外側には、一対の偏光板２５，２６が配設されており、これら両偏光板２５，２６によってバックライト等の光源（図示せず）からの透過光の振動方向が規制されるようになっている。
【００３１】
［実装装置１］
実装装置１は、このような液晶表示パネル１０のＣＯＧ実装部２０に電子部品１８を実装し、またＦＯＧ実装部２２にフレキシブル基板２１を実装するものであり、図１に示すように、液晶表示パネル１０が載置されるステージ２と、ステージ２に載置された液晶表示パネル１０の各実装部２０，２２に液晶駆動用ＩＣ等の電子部品１８やフレキシブル基板２１を実装する熱圧着ヘッド３と、熱圧着ヘッド３を各実装部２０，２２に近接離間させるヘッド駆動機構４とを備える。
【００３２】
ステージ２は、液晶表示パネル１０を載置するのに十分な大きさを有し、液晶表示パネル１０が位置決めされて載置される。ステージ２は、液晶表示パネル１０が位置決めされて載置されたときに、透明基板１２の縁部１２ａに設けられたＣＯＧ実装部２０やＦＯＧ実装部２２に対向して熱圧着ヘッド３が設けられている。
【００３３】
熱圧着ヘッド３は、電子部品１８やフレキシブル基板２１を押圧する押圧面３ａと、ヒーターが内蔵されるとともにペルチェ素子５が取り付けられるヘッド本体３ｂとを有する。熱圧着ヘッド３は、所定の温度に加熱された押圧面３ａを所定の圧力、時間で、電子部品１８やフレキシブル基板２１に押し当てることにより、異方性導電フィルム２３を、導電性粒子が押し潰された状態で硬化させる。
【００３４】
熱圧着ヘッド３は、ヘッド本体３ｂにペルチェ素子５が設けられている。ペルチェ素子５は、異種金属または異種半導体の接触面を通電したとき熱が発生または吸収される現象を利用した板状の素子で、冷却部６と加熱部７を備える。ペルチェ素子５は、直流電流を流す方向を逆にすることにより、熱の移動方向も逆になるので、冷却部６と加熱部７を逆転することが可能である。このためペルチェ素子５は、加熱にも冷却にも利用することができ、高精度の温度制御に適している。実装装置１は、このペルチェ素子５を用いて、ヘッド本体３ｂの熱が電子部品１８やパネル表示部１５といった透明基板１２上の構成部品に伝達することを防止するものである。
【００３５】
ペルチェ素子５は、ヘッド本体３ｂの少なくとも電子部品１８やパネル表示部１５と面する側面に形成され、構成部品に面する側を冷却部６とする。これは、液晶表示パネル１０は、パネル表示部１５を形成した後、電子部品１８をＣＯＧ実装し、次いでフレキシブル基板２１をＦＯＧ実装することから、各実装工程において、ヘッド本体３ｂに隣接するパネル表示部１５や電子部品１８にヘッド本体３ｂの熱が伝達することを防止するためである。
【００３６】
［ヘッド駆動機構］
このような熱圧着ヘッド３を駆動するヘッド駆動機構４は、熱圧着ヘッド３をＣＯＧ実装部２０やＦＯＧ実装部２２に近接離間するように昇降自在に支持するとともに、ヘッド本体３ｂの昇降動作及びヘッド本体３ｂに内蔵されたヒーターの駆動を制御する。そして、ヘッド駆動機構４は、電子部品１８やフレキシブル基板２１の実装時には、ヘッド本体３ｂ内のヒーターを駆動して所定温度に加熱するとともに、熱圧着ヘッド３を所定時間、所定の圧力で電子部品１８やフレキシブル基板２１を押圧するように駆動する。
【００３７】
［実装方法］
次いで、かかる実装装置１を用いて液晶表示パネル１０にＣＯＧ実装及びＦＯＧ実装を行う工程について説明する。図１に示すように、実装装置１は、ステージ２上に、液晶表示パネル１０が位置決めされて載置される。このとき、液晶表示パネル１０は、透明基板１１，１２がシール１３によって貼り合わされ、内部空間に液晶が封入されている。また、液晶表示パネル１０は、相対向する内側表面に透明電極１６，１７が設けられ、透明基板１２の縁部には、それぞれ透明電極１７の端子部１７ａが形成されたＣＯＧ実装部２０及びＦＯＧ実装部２２が設けられている。さらに、液晶表示パネル１０は、透明電極１６，１７上には、所定のラビング処理が施された配向膜２４が形成されている。また、透明基板１１，１２の外側には一対の偏光板２５，２６が配設されている。
【００３８】
先ず、ＣＯＧ実装部２０の端子部１７ａに異方性導電フィルム２３が配置される。このとき、熱圧着ヘッド３は、ヘッド駆動機構４によって、ＣＯＧ実装部２０の上方に支持されている。次いで、異方性導電フィルム２３上に液晶駆動用ＩＣ等の電子部品１８が配置される。そして、熱圧着ヘッド３は、ヘッド駆動機構４によってヘッド本体３ｂが所定温度に加熱され、押圧面３ａが電子部品１８を押圧するように下降するとともに、所定の圧力、時間だけ押圧するように制御される。これにより、異方性導電フィルム２３は、導電性粒子が押し潰された状態で硬化し、電子部品１８と端子部１７ａとを導電接続する。
【００３９】
このとき、熱圧着ヘッド３は、ヘッド本体３ｂのパネル表示部１５と面する側面にペルチェ素子５が設けられ、このペルチェ素子５に所定方向の電流を流すことによりパネル表示部１５に面する側を冷却部６としているため、ヘッド本体３ｂの熱がパネル表示部１５の偏光板やシール１３等に伝達することを防止できる。したがって、パネル表示部１５とＣＯＧ実装部２０との距離が狭小化され、ヘッド本体３ｂがパネル表示部１５に近接する場合にも、パネル表示部１５の各部に熱衝撃が加わることによる変質、破損等を防止することができる。
【００４０】
ＣＯＧ実装に次いで、ＦＯＧ実装が行われる。先ず、ＦＯＧ実装部２２の端子部１７ａに異方性導電フィルム２３が仮配置される。このときも、熱圧着ヘッド３は、ヘッド駆動機構４によって、ＦＯＧ実装部２２の上方に支持されている。次いで、異方性導電フィルム２３上に液晶駆動回路等が形成されたフレキシブル基板２１の端子部が配置される。そして、図２に示すように、熱圧着ヘッド３は、ヘッド駆動機構４によってヘッド本体３ｂが所定温度に加熱され、押圧面３ａがフレキシブル基板２１の端子部を押圧するように下降するとともに、所定の圧力、時間だけ押圧するように制御される。これにより、異方性導電フィルム２３は、導電性粒子が押し潰された状態で硬化し、フレキシブル基板２１と端子部１７ａとを導電接続する。
【００４１】
このときも、熱圧着ヘッド３は、ヘッド本体３ｂのパネル表示部１５及び先にＣＯＧ実装された電子部品１８と面する側面にペルチェ素子５が設けられ、このペルチェ素子５に所定方向の電流を流すことにより電子部品１８やパネル表示部１５に面する側を冷却部６としているため、ヘッド本体３ｂの熱がパネル表示部１５の偏光板２５，２６やシール１３、電子部品１８等に伝達することを防止できる。したがって、パネル表示部１５及びＣＯＧ実装部２０とＦＯＧ実装部２２との距離が狭小化され、ヘッド本体３ｂが電子部品１８やパネル表示部１５に近接する場合にも、電子部品１８やパネル表示部１５の各部に熱衝撃が加わることによる変質、破損等を防止することができ、また電子部品１８のＣＯＧ実装部２０への接続が不安定になることもない。
【００４２】
このようにして、液晶表示パネル１０に電子部品１８がＣＯＧ実装され、フレキシブル基板２１がＦＯＧ実装された液晶表示パネル１０が製造される。実装が終了した後、熱圧着ヘッド３は、ヘッド駆動機構４によって上昇され、次の実装工程に備える。
【００４３】
上記においては、液晶表示パネル１０に電子部品１８、フレキシブル基板２１を実装する場合について述べたが、液晶表示パネル１０を配線基板に置き換えた場合でも、同様に実装することができる。また、先にＣＯＧ実装部が存在するパネルにフレキシブル基板２１を実装することについて記載したが、先に実装された実装部分はＣＯＧに限定されない。
【００４４】
［第２の実施例］
次いで、本発明が適用された熱圧着ヘッドの変形例について説明する。この熱圧着ヘッド３０は、図３に示すように、ヘッド本体３０ａに複数のペルチェ素子５ａ、５ｂ、５ｃ・・・が重畳して取り付けられている。各ペルチェ素子５は、冷却部６と加熱部７との温度差、及び使用可能な温度範囲といった温度特性が異なるものが用いられる。
【００４５】
熱圧着ヘッド３０は、使用可能な温度範囲の上限がヘッド本体３０ａの加熱温度に近い第１のペルチェ素子５ａを取り付ける。そして、熱圧着ヘッド３０は、第１のペルチェ素子５ａに、使用可能な温度範囲の上限が第１のペルチェ素子５ａの冷却部６の温度に近い第２のペルチェ素子５ｂを取り付ける。第２のペルチェ素子５ｂには、使用可能な温度範囲の上限が第２のペルチェ素子５ｂの冷却部６の温度に近い第３のペルチェ素子５ｃを取り付ける。
【００４６】
このように、熱圧着ヘッド３０は、使用可能な温度範囲の上限が、先に取り付けられているペルチェ素子５の冷却部６の温度に近い他のペルチェ素子５を、順次取り付けることにより、複数のペルチェ素子が重畳される。
【００４７】
かかる熱圧着ヘッド３０によれば、各ペルチェ素子５の温度を外側に向かうにつれて漸次下げていくことができ、パネル表示部１５や電子部品１８といった透明基板１２に実装されている構成部品に面するペルチェ素子５の冷却部６を、これら構成部品に影響を与えない温度、例えば室温程度とすることができる。
【００４８】
［第３の実施例］
また、本発明が適用された実装装置１は、この熱圧着ヘッド３０に重畳されたペルチェ素子５によっても、電子部品１８やフレキシブル基板２１等の実装部品を加熱押圧しても良い。実装装置１は、熱圧着する実装部品や異方性導電フィルム２３の種類によって熱圧着ヘッドの加熱温度が変わる。したがって、図４に示すように、種類の異なる複数の実装部品が配列され、それぞれ加熱押圧の温度が異なる場合に、熱圧着ヘッド３０は、重畳されたペルチェ素子５によって温度が異なることから、各実装部品に最適な温度を有するペルチェ素子５を配して加熱押圧することができる。これにより、実装装置１は、加熱押圧の温度が異なる複数の実装部品を一括して実装することができる。
【００４９】
［第４の実施例］
また、図５に示すように、本発明が適用された熱圧着ヘッドは、第１の熱圧着ヘッド４０に、一又は複数のペルチェ素子５を介して加熱温度の異なる第２の熱圧着ヘッド４１を取り付けるようにしてもよい。第２の熱圧着ヘッド４１が第１の熱圧着ヘッド４０よりも加熱温度が低い場合、第２の熱圧着ヘッド４１には、第１の熱圧着ヘッド４０との間に、冷却部６の温度が第２の熱圧着ヘッド４１の熱加圧温度に近くなるようなペルチェ素子５が取り付けられる。
【００５０】
例えば、図５に示すように、第１の熱圧着ヘッド４０の加熱温度が２００℃、第２の熱圧着ヘッド４１の加熱温度が１３０℃とした場合、第２の熱圧着ヘッド４１は、第１の熱圧着ヘッド４０との間に複数のペルチェ素子５を介在させて漸次温度を下げ、冷却部６の温度が１３０℃程度であるペルチェ素子５に取り付けられる。また、第２の熱圧着ヘッド４１には、ヘッド本体４１ａに複数のペルチェ素子５が取り付けられ、最外層のペルチェ素子５は、冷却部６が、他の構成部品に影響を与えない温度、例えば１０℃とする。
【００５１】
このような熱圧着ヘッドによっても、最適な加熱温度が異なる複数の実装部品を、第１の熱圧着ヘッド４０及び第２の熱圧着ヘッド４１によって、一括して実装することができる。
【００５２】
［第５の実施例］
また、本発明が適用された熱圧着ヘッドは、図６に示すように、ペルチェ素子５をヘッド本体５０ａの電子部品１８やパネル表示部１５と面する側面を含む他の側面や全周囲に亘って形成された熱圧着ヘッド５０としてもよい。この熱圧着ヘッド５０は、ヘッド本体５０ａの熱が周囲に拡散することを防止することができ、周囲の実装部位に対する熱による影響を抑えることができる。
【００５３】
また、熱圧着ヘッド５０は、上述した熱圧着ヘッド３０のように、ヘッド本体５０ａに複数のペルチェ素子５を重畳して取り付けてもよい。これにより、熱圧着ヘッド５０は、各ペルチェ素子５の温度を外側に向かうにつれて漸次下げていくことができ、パネル表示部１５や電子部品１８といった透明基板１２に実装されている構成部品に面するペルチェ素子５の冷却部６を、これら構成部品に影響を与えない温度、例えば室温程度とすることができる。
【００５４】
また、熱圧着ヘッド５０は、上述した熱圧着ヘッド４０のように、ヘッド本体５０ａの電子部品１８やパネル表示部１５と面する側面を含む他の側面や全周囲に一又は複数のペルチェ素子５を介して加熱温度の異なる第２の熱圧着ヘッドを取り付けてもよい。これにより、熱圧着ヘッド５０は、最適な加熱温度が異なる複数の実装部品を、第２の熱圧着ヘッドとともに、一括して実装することができる。
【００５５】
［第６の実施例］
また、本発明が適用された熱圧着ヘッドは、図７に示すように、ヘッド本体６０ａ内にヒーターを内蔵せず、ヘッド本体６０ａの周囲に取り付けたペルチェ素子５によって所定の温度に加熱される熱圧着ヘッド６０としてもよい。この熱圧着ヘッド６０は、加熱部７の温度が実装部品の加熱温度となるペルチェ素子５を用い、当該ペルチェ素子５のヘッド本体６０ａに取り付けられた面を加熱部７として放熱させ、ヘッド本体６０ａを加熱する。
【００５６】
これにより、熱圧着ヘッド６０は、ヒーターを内蔵させることなく、所定の温度に加熱することができる。また、熱圧着ヘッド６０は、ペルチェ素子５を用いることにより、容易に温度制御を行うことができる。なお、熱圧着ヘッド６０は、ヘッド本体６０ａの全周囲にペルチェ素子５を取り付けることにより、ムラ無く加熱することができる。
【００５７】
また、熱圧着ヘッド６０は、上述した熱圧着ヘッド３０のように、ヘッド本体６０ａに複数のペルチェ素子５を重畳して取り付けてもよい。これにより、熱圧着ヘッド６０は、各ペルチェ素子５の温度を外側に向かうにつれて漸次下げていくことができ、パネル表示部１５や電子部品１８といった透明基板１２に実装されている構成部品に面するペルチェ素子５の冷却部６を、これら構成部品に影響を与えない温度、例えば室温程度とすることができる。
【００５８】
また、熱圧着ヘッド６０は、上述した熱圧着ヘッド４０のように、ヘッド本体６０ａの電子部品１８やパネル表示部１５と面する側面を含む他の側面や全周囲に一又は複数のペルチェ素子５を介して加熱温度の異なる第２の熱圧着ヘッドを取り付けてもよい。第２の熱圧着ヘッドもヒーターを内蔵せずペルチェ素子５によって所定の温度に加熱される。また、第２の熱圧着ヘッドもヘッド本体の全周囲にペルチェ素子５を取り付けることでムラ無く加熱することができる。これにより、熱圧着ヘッド６０は、最適な加熱温度が異なる複数の実装部品を、第２の熱圧着ヘッドとともに、一括して実装することができる。
【００５９】
［第７の実施例］
また、本発明が適用された熱圧着ヘッド３、５０、６０は、実装部品の実装が終了した後に、ヘッド本体３ｂ、５０ａ、６０ａをペルチェ素子５によって冷却してもよい。上述したように、ペルチェ素子５は、直流電流を流す方向を逆にすることにより、熱の移動方向も逆になるので、冷却部６と加熱部７を入れ替えることが可能である。したがって、熱圧着ヘッド３、５０、６０は、電子部品１８やフレキシブル基板２１の実装が終了した後、ヘッド駆動機構４によって上昇され、ペルチェ素子５の電流の方向を逆にして流す。
【００６０】
これにより、ペルチェ素子５は、ヘッド本体３ｂ、５０ａ、６０ａに向けた面が冷却部６となる。これにより、熱圧着ヘッド３、５０、６０は、ヘッド本体３ｂ、５０ａ、６０ａを冷却することができる。なお、このとき熱圧着ヘッド３、５０、６０は、ペルチェ素子５の加熱部７が外側となるが、ヘッド駆動機構４によって上昇され液晶表示パネル１０から離間しているため、放熱による影響はない。
【００６１】
ペルチェ素子５は、再度、実装部品を加熱押圧する場合には、流す電流の方向を元に戻すことにより、ヘッド本体３ｂ、５０ａ、６０ａ側を加熱部７とし、パネル表示部１５や電子部品１８等の構成部品側を冷却部６とすることができる。
【００６２】
［第８の実施例］
また、本発明は、図８（ａ）に示すように、熱圧着ヘッドをペルチェ素子５のみで構成してもよい。この熱圧着ヘッド７０は、ペルチェ素子５の加熱部７の電子部品１８やフレキシブル基板２１と対峙する下面を押圧面とする。
【００６３】
また、本発明は、図８（ｂ）に示すように、一対のペルチェ素子５を接続して構成してもよい。この熱圧着ヘッド８０は、各ペルチェ素子５の接続面側を加熱部７とし、これら加熱部７の電子部品１８やフレキシブル基板２１と対峙する下面を押圧面とする。
【００６４】
熱圧着ヘッド７０，８０は、いずれも、電子部品１８やフレキシブル基板２１等の構成部品側を冷却部６としているため、加熱部７の熱が伝達することを防止できる。したがって、パネル表示部１５とＣＯＧ実装部２０との距離やＣＯＧ実装部２０とＦＯＧ実装部との距離が狭小化され、加熱部７がパネル表示部１５や電子部品１８に近接する場合にも、パネル表示部１５の各部に熱衝撃が加わることによる変質、破損等を防止することができる。
【００６５】
なお、熱圧着ヘッド７０，８０においても、上述した熱圧着ヘッド３０のように複数のペルチェ素子５を重畳して取り付けてもよい。これにより、熱圧着ヘッド７０，８０は、各ペルチェ素子５の温度を外側に向かうにつれて漸次下げていくことができ、パネル表示部１５や電子部品１８といった透明基板１２に実装されている構成部品に面するペルチェ素子５の冷却部６を、これら構成部品に影響を与えない温度、例えば室温程度とすることができる。
【符号の説明】
【００６６】
１  実装装置、２  ステージ、３  熱圧着ヘッド、３ａ  押圧面、３ｂ  ヘッド本体、４  ヘッド駆動機構、１０  液晶表示パネル、１１，１２  透明基板、１２ａ  縁部、１３  シール、１４  液晶、１５  パネル表示部、１６，１７  透明電極、１８  電子部品、２０  ＣＯＧ実装部、２１  フレキシブル基板、２２  ＦＯＧ実装部、２３  異方性導電フィルム、２４  配向膜、２５，２６  偏光板
【図１】
0005608545.tif 000002
【図２】
0005608545.tif 000003
【図３】
0005608545.tif 000004
【図４】
0005608545.tif 000005
【図５】
0005608545.tif 000006
【図６】
0005608545.tif 000007
【図７】
0005608545.tif 000008
【図８】
0005608545.tif 000009
【図９】
0005608545.tif 000010
【図１０】
0005608545.tif 000011
【図１１】
0005608545.tif 000012